(57)【特許請求の範囲】
【請求項１】
走行車台（２）の前後左右両側に左右前輪（３，３）と左右後輪（４，４）を設け、前記走行車台（２）の後側部左右中央に操縦席（７）を設けると共に、該操縦席（７）の前方にステアリングハンドル（８）を設け、前記走行車台（２）の後側左右には前記操縦席（７）の左右両側に位置するように左右薬液タンク（９，９）を配設し、該左右薬液タンク（９，９）全体を前記後輪（４，４）の後車軸（４ａ）よりも前方に配置し、前記走行車台（２）の後側端部の左右中央部に後方に延出するように設けた昇降リンク機構（１１）により中耕除草機（１２）を昇降自在に支持し、
走行車台（２）の後部左右両側から左右後輪（４，４）に接近するよう左右両側に向けて左右支持フレーム（１３，１３）を延出し、
左右支持フレーム（１３，１３）の前側部に左右補助ステップ（１３ａ，１３ａ）を取り付け、左右支持フレーム（１３，１３）の後側部に左右タンクベース（１４，１４）を取り付け、左右タンクベース（１４，１４）に左右薬液タンク（９，９）を搭載する構成とし、
中耕除草機（１２）は左右方向に沿って設ける中耕フレーム（１２ｃ）に中央除草ロータリ（１２ａ）と左右除草ロータリ（１２ｂ，１２ｂ）をブラケットを介して設け、左右の薬液タンク（９，９）の薬液は複数の散布ホース（２９ａ，２９ｂ）及び複数の散布ノズル（３０ａ，３０ｂ）を経て散布される構成とし、
前記複数の散布ホース（２９ａ，２９ｂ）を束ねて昇降リンク機構（１１）の側方を通して後方に延出し、前記複数の散布ノズル（３０ａ，３０ｂ）を中央除草ロータリ（１２ａ）及び左右除草ロータリ（１２ｂ，１２ｂ）の後方にそれぞれ設ける構成とし、
前記左右除草ロータリ（１２ｂ，１２ｂ）はそれぞれブラケットを介して中耕フレーム（１２ｃ）に沿って左右調節自在に取り付ける構成とし、
前記ブラケットから後方に向けて延出する延長フレームを介して散布ノズル（３０ａ，３０ｂ）を取り付ける構成とし、
操縦席（７）の下方に左右薬液タンク（９，９）の薬液を複数の散布ノズル（３０ａ，３０ｂ）に供給するポンプ（Ｐ）を配置し、
複数の散布ホース（２９ａ），（２９ｂ）を接続する圧力計（２８ａ）付きのマニホールド（２８）を操縦席（７）の後方で、かつ左右薬液タンク（９，９）の間に配置し、
ポンプ（Ｐ）の吸水口及び吐出口を右側に配置し、散布コック（２５）を操縦席（７）の右側方かつ右薬液タンク（９）の前方に配置し、ポンプ（Ｐ）と散布コック（２５）とを吐出ホース（２２）で接続し、散布コック（２５）と圧力計（２８ａ）付きのマニホールド（２８）を第一散布ホース（２６）で接続する構成としたことを特徴とする中耕散布作業機。
【発明の詳細な説明】
【技術分野】
【０００１】
本発明は、液体、粉体あるいは粒体の薬剤、肥料等を作物や圃場に散布する散布作業をしたり、中耕除草作業をする中耕散布作業機に関するものである。
【背景技術】
【０００２】
中耕散布作業機において、走行車台の後部に、操縦席の後方を覆うように薬液タンクを配設し、この薬液タンクの左右両側部に開閉蓋で開閉できる補給口を設け、薬液タンクの後側中央部には昇降リンク機構の一部が入り込む凹部を構成したものは公知である（特許文献１）。
【特許文献１】特開２００５−８７０２６号公報
【発明の開示】
【発明が解決しようとする課題】
【０００３】
前述のような構成では、薬液タンクの形状が複雑になってコスト高となり、また、薬液タンクの後側部が後輪の車軸から後方へ張り出し、機体の前後バランスが悪くなるという不具合があった。そこで、この発明はこのような不具合を解消しようとするものである。
【課題を解決するための手段】
【０００４】
請求項１の発明は、走行車台（２）の前後左右両側に左右前輪（３，３）と左右後輪（４，４）を設け、前記走行車台（２）の後側部左右中央に操縦席（７）を設けると共に、該操縦席（７）の前方にステアリングハンドル（８）を設け、前記走行車台（２）の後側左右には前記操縦席（７）の左右両側に位置するように左右薬液タンク（９，９）を配設し、該左右薬液タンク（９，９）全体を前記後輪（４，４）の後車軸（４ａ）よりも前方に配置し、前記走行車台（２）の後側端部の左右中央部に後方に延出するように設けた昇降リンク機構（１１）により中耕除草機（１２）を昇降自在に支持し、
走行車台（２）の後部左右両側から左右後輪（４，４）に接近するよう左右両側に向けて左右支持フレーム（１３，１３）を延出し、
左右支持フレーム（１３，１３）の前側部に左右補助ステップ（１３ａ，１３ａ）を取り付け、左右支持フレーム（１３，１３）の後側部に左右タンクベース（１４，１４）を取り付け、左右タンクベース（１４，１４）に左右薬液タンク（９，９）を搭載する構成とし、
中耕除草機（１２）は左右方向に沿って設ける中耕フレーム（１２ｃ）に中央除草ロータリ（１２ａ）と左右除草ロータリ（１２ｂ，１２ｂ）をブラケットを介して設け、左右の薬液タンク（９，９）の薬液は複数の散布ホース（２９ａ，２９ｂ）及び複数の散布ノズル（３０ａ，３０ｂ）を経て散布される構成とし、
前記複数の散布ホース（２９ａ，２９ｂ）を束ねて昇降リンク機構（１１）の側方を通して後方に延出し、前記複数の散布ノズル（３０ａ，３０ｂ）を中央除草ロータリ（１２ａ）及び左右除草ロータリ（１２ｂ，１２ｂ）の後方にそれぞれ設ける構成とし、
前記左右除草ロータリ（１２ｂ，１２ｂ）はそれぞれブラケットを介して中耕フレーム（１２ｃ）に沿って左右調節自在に取り付ける構成とし、
前記ブラケットから後方に向けて延出する延長フレームを介して散布ノズル（３０ａ，３０ｂ）を取り付ける構成とし、
操縦席（７）の下方に左右薬液タンク（９，９）の薬液を複数の散布ノズル（３０ａ，３０ｂ）に供給するポンプ（Ｐ）を配置し、
複数の散布ホース（２９ａ），（２９ｂ）を接続する圧力計（２８ａ）付きのマニホールド（２８）を操縦席（７）の後方で、かつ左右薬液タンク（９，９）の間に配置し、
ポンプ（Ｐ）の吸水口及び吐出口を右側に配置し、散布コック（２５）を操縦席（７）の右側方かつ右薬液タンク（９）の前方に配置し、ポンプ（Ｐ）と散布コック（２５）とを吐出ホース（２２）で接続し、散布コック（２５）と圧力計（２８ａ）付きのマニホールド（２８）を第一散布ホース（２６）で接続する構成としたことを特徴とする中耕散布作業機とする。
【０００５】
前記構成によると、走行車台（２）の後側部には操縦席（７）の左右両側に位置するように左右薬液タンク（９，９）が配設されていて、この左右薬液タンク（９，９）の全体が後輪（４，４）の後車軸（４ａ）よりも略前方に配置されて、機体の前後バランスが安定する。
【０００６】
【０００７】
【発明の効果】
【０００８】
請求項１の発明は、左右後輪（４，４）の後車軸（４ａ）よりも前方に左右薬液タンク（９，９）が位置しているので、昇降リンク機構（１１）により中耕除草機（１２）を昇降自在に連結しても機体の前後バランスを安定させることができる。
また、複数の散布ホースの配索がシンプルとなって接続ミスが無くなり、昇降リンク機構（１１）との干渉を回避し、中耕除草機（１２）を円滑に昇降しながら中耕散布作業をすることができる。
【０００９】
また、各除草ロータリ（１２ａ，１２ｂ）は草が繁茂する畦の底部を中耕除草し、その後の膨軟になった圃場面に薬液を散布することができ、薬液が土壌深くに浸入し、除草効果を高めることができる。左右除草ロータリ（１２ｂ，１２ｂ）を左右に調節すると、左右散布ノズル（３０ｂ）も同時に左右に調整され、中耕散布作業を円滑に行なうことができる。
また、左右薬液タンク（９，９）を走行車台（２）から左右両側に向けてオーバーハングさせ、タンクの大容量化及び支持強度のアップを図ることができる。
また、散布コック（２５）の操作を容易にすることができ、複数の散布ホース（２９ａ，２９ｂ）が長くなるという不具合を解消することができ、散布効率を高めることができる。
【発明を実施するための最良の形態】
【００１０】
以下、薬液散布及び中耕除草用の中耕散布作業機の一実施形態についてき説明する。
中耕除草及び薬液散布用の中耕散布作業機１は、走行車台２の前後左右両側には等径の左右前輪３，３と左右後輪４，４が設けられていて、走行車台２の前側部あるいは後側部に防除噴霧装置Ａが設けられている。左右前輪３，３間の上方にはエンジン（図示省略）が搭載されていて、エンジン回りはボンネット６で被覆されている。走行車台２の後側部には操縦席７が設けられていて、操縦席７の前方にステアリングハンドル８が設けられている。また、ステアリングハンドル８を左右に操舵すると、左右前輪３，３及び左右後輪４，４が同時に操舵される四輪操舵に構成されている。また、走行車台２後側部における操縦席７の左右両側には、例えば直方体状の単純な構成の左右薬液タンク９，９が着脱自在に設けられている。
【００１１】
また、エンジンの動力は走行用伝動装置を経由して左右前輪３，３及び左右後輪４，４に伝達され、エンジンの動力は作業用伝動装置を経由して薬液噴霧用のポンプＰ及び後部作業機駆動用のＰＴＯ軸（図示省略）に伝達される構成である。
【００１２】
また、左右薬液タンク９，９全体を後輪４，４の後車軸４ａよりも前方に配置し、また、タンクの前側端部を前記操縦席７の前側端部よりもやや後方に位置するようにしている。そして、走行車台２の後側左右中央部には、昇降リンク機構１１を後側に向けて昇降自在に延出し、中耕除草機１２を昇降するように構成している。
【００１３】
前記構成によると、後輪４，４の後車軸４ａよりも前方に左右薬液タンク９，９が位置しているので、機体の前後バランスが安定し、昇降リンク機構１１により中耕除草機１２を連結しても前後バランスを安定させることができ、操縦者の居住性を良くしながら楽に左右何れの側からも操縦席７に乗降することができる。
【００１４】
また、左右薬液タンク９，９を走行車台２に搭載するにあたり、走行車台２の後部左右両側から左右支持フレーム１３，１３を左右後輪４，４に接近するように左右両側に向けて延出し、左右支持フレーム１３，１３の前側部に左右補助ステップ１３ａ，１３ａを取り付け、この左右支持フレーム１３，１３の後側部には左右タンクベース１４，１４を取り付け、この左右タンクベース１４，１４に左右薬液タンク９，９を搭載し、左右薬液タンク９，９を走行車台２から左右両側に向けてオーバーハングさせ、タンクの大容量化及び支持強度のアップを図っている。また、左右薬液タンク９，９の底部を左右タンクベース１４，１４で支持することにより、タンクの保護及び着脱の容易化を図っている。
【００１５】
また、左右薬液タンク９，９の底部を連結ホース１５により連通し、ポンプＰにより薬液の左右タンクの吸水及び排出を容易にし、作業効率の向上を図っている。
また、左右薬液タンク９，９の上部中央には開閉蓋付きの注水口１６，１６を設け、左右薬液タンク９，９のどちらからでも注水できるようにし、注水の容易化を図っている。
【００１６】
また、図３に示すように、左右薬液タンク９，９の下部左右両側に排水口１７，１７を設け、左右薬液タンク９，９のどちらからでも排水できるようにし、排水の容易化を図っている。
【００１７】
また、図４に示すように、操縦席７の下方には給水部及び吐出部を右外側に位置するようにポンプＰを配置し、例えば右薬液タンク９の下部から給水パイプ２１を経由して前記ポンプＰの給水部に薬液が送られ、ポンプＰから吐出した薬液は吐出ホース２２により調圧装置２３に送られるように構成している。調圧装置２３は安全弁２３ａ、エアチャンバ２３ｂ及び流量制御弁２３ｃにより構成されていて、安全弁２３ａからあふれた吐出薬液の一部は戻りホース２４を経て右薬液タンク９の底部に還流され、沈殿した薬液を撹拌する。また、調圧装置２３の流量制御弁２３ｃから吐出した薬液は、散布コック２５、第１散布ホース２６、圧力調整コック２７、圧力計２８ａ付きのマニホールド２８、中央散布ホース２９ａ、左右散布ホース２９ｂ，２９ｂに送られ、中耕除草機１２の中央除草ロータリ１２ａ，左右除草ロータリ１２ｂ，１２ｂの後方に位置する中央散布ノズル３０ａ，左右散布ノズル３０ｂ，３０ｂ…から散布されるように構成している。
【００１８】
なお、薬液タンク９の下方にはエンジンの駆動中は駆動されるライブＰＴＯ軸３１を設け、ライブＰＴＯ軸３１の動力がベルト伝動装置３２、電磁クラッチ３３を経由して前記ポンプＰに伝達される。また、走行車台２の前側部に中央ブーム（図示省略）及び左右サイドブーム（図示省略）に配設した場合には、前記マニホールド２８から中央散布ホース２９ａ、左右散布ホース２９ｂ，２９ｂを経て中央ブーム及び左右サイドブームに薬液が送らて散布される構成である。
【００１９】
前記構成によると、ポンプＰ、吐出ホース２２、調圧装置２３、戻りホース２４、散布コック２５、第１散布ホース２６、圧力調整コック２７、マニホールド２８、中央散布ホース２９ａ、左右散布ホース２９ｂ，２９ｂを共用にし、中耕除草機１２の後方に位置する中央散布ノズル３０ａ，左右散布ノズル３０ｂ，３０ｂ…から薬液を散布したり、あるいは、機体の前側に配置した中央ブーム及び左右サイドブームから薬液を散布することができ、コストの低減を図ることができる。
【００２０】
また、走行車台２の操縦席７とステアリングハンドル８の間にはフロア１０を設け、フロア１０のステアリングハンドル８の左右両側部に操作ぺダル３４ａ，３４ｂを設け、前記散布コック２５を右薬液タンク９の前方で、且つ、フロア１０から右側方に突出する位置に配設している。
【００２１】
前記構成によると、機体への乗り降りが左右どちら側からでも行なうことができ、また、操作ぺダル３４ａ，３４ｂの踏み込み操作にも散布コック２５が邪魔にならない。
また、前記散布マニホールド２８を操縦席７の後方に配設し、前記散布コック２５を操縦席７の右側方に配置し、散布コック２５と散布マニホールド２８を離して配置し、これらの間を第１散布ホース２６により接続している。
【００２２】
散布コック２５と散布マニホールド２８を操縦席７の右側方に近接配置すると、中央散布ホース２９ａ及び左右散布ホース２９ｂ，２９ｂが長くなるという不具合がある。しかし、前記構成によると、散布コック２５の操作を容易にしながら、このような不具合を解消することができ、散布効率を高めることができる。
【００２３】
また、前記ポンプＰを操縦席７の下方に配設し、ポンプＰの吸水口及び吐出口を右側に配置し、前記調圧装置２３の安全弁２３ａ、エアチャンバ２３ｂ、流量制御弁２３ｃ及び散布コック２５を、ポンプＰの吸水口及び吐出口が位置する右側に配置している。
【００２４】
前記構成によると、吸水パイプ２１、吐出ホース２２、第１散布ホース２６の配管長さを短くすることができ、配管作業が容易となる。
また、前記散布マニホールド２８を操縦席７の後方に配設し、散布マニホールド２８から中央散布ホース２９ａ及び左右散布ホース２９ｂ，２９ｂを束ねて昇降リンク機構１１の側方を通して後方に延出し、中耕除草機１２の中央除草ロータリ１２ａ，左右除草ロータリ１２ｂ，１２ｂの後方に位置する中央散布ノズル３０ａ，左右散布ノズル３０ｂ，３０ｂ…から散布するように構成している。
【００２５】
前記構成によると、中央散布ホース２９ａ，左右散布ホース２９ｂ，２９ｂの配索がシンプルとなって接続ミスが無くなり、昇降リンク機構１１との干渉を回避し、中耕除草機１２を円滑に昇降しながら中耕散布作業をすることができる。
【００２６】
また、図６及び図７に示すように、中耕除草機１２の上部には左右方向に沿った中耕フレーム１２ｃを設け、この中耕フレーム１２ｃの中央部に中央上部ブラケット３５ａを介して中央除草ロータリ１２ａを取り付け、中耕フレーム１２ｃの左右両側には左右上部ブラケット３５ｂ，３５ｂを介して、左右除草ロータリ１２ｂ，１２ｂを左右調節自在に取り付けている。中耕フレーム１２ｃには左右伸縮自在の伝動軸１２ｄを設けて、中央除草ロータリ１２ａ及び左右除草ロータリ１２ｂ，１２ｂに動力を伝達し、これらロータリ１２ａ，１２ｂ，１２ｂの後方に尾輪３６，…をそれぞれ設けている。
【００２７】
また、中央上部ブラケット３５ａ，左右上部ブラケット３５ｂ，３５ｂから中央延長フレーム３７ａ，左右延長フレーム３７ｂ，３７ｂをそれぞれ後方に向けて延出し、これら後端から中央縦フレーム３８ａ，左右縦フレーム３８ｂ，３８ｂをそれぞれ下方に向けて延出し、その下端部に中央散布ノズル３０ａ，左右散布ノズル３０ｂ，３０ｂ…を取り付け、尾輪３６，…の後方部位にノズルから薬液を散布するように構成している。
【００２８】
前記構成によると、各除草ロータリ１２ａ，１２ｂ，１２ｂは草が繁茂する畦の底部を中耕除草し、その後の膨軟になった圃場面に薬液を散布することができ、薬液が土壌深くに浸入し、除草効果を高めることができる。また、中耕フレーム１２ｃの中央除草ロータリ１２ａに対して、左右除草ロータリ１２ｂ，１２ｂを左右に調節すると、尾輪３６，…及び左右散布ノズル３０ｂ，３０ｂ…も同時に左右に調整され、中耕散布作業を円滑に行なうことができる。
【００２９】
また、図８に示すように、操縦席７の後方にポンプＰ入切用のスイッチ４１を設け、中耕除草機１２とスイッチ４１とをワイヤ４２により連動連結し、昇降リンク機構１１が下降して中耕除草機１２が作業位置になると、スイッチ４１が入りとなり、また、上昇すると切りになるように構成している。前記構成によると、中耕除草機１２を作業位置に下降するとスイッチ４１が自動的に入りとなり、上昇すると切りになるので、散布作業機の操作が簡単容易となる。
【図面の簡単な説明】
【００３０】
【図１】中耕散布作業機の側面図
【図２】中耕散布作業機の平面図
【図３】中耕散布作業機の背面図
【図４】中耕散布作業機の平面図
【図５】中耕散布作業機の側面図
【図６】中耕散布作業機の後部の側面図
【図７】中耕散布作業機の背面図
【図８】中耕散布作業機の背面図
【符号の説明】
【００３１】
１  中耕散布作業機
２  走行車台
３  左右前輪
４  左右後輪
４ａ  後車軸
７  操縦席
８  ステアリングハンドル
９  左右薬液タンク
１１  昇降リンク機構
１２  中耕除草機
【図１】
0005446072.tif 000002
【図２】
0005446072.tif 000003
【図３】
0005446072.tif 000004
【図４】
0005446072.tif 000005
【図５】
0005446072.tif 000006
【図６】
0005446072.tif 000007
【図７】
0005446072.tif 000008
【図８】
0005446072.tif 000009